(57)【要約】  【課題】  下止としての一対の各ファスナーストリンガーに取り付ける第一部材と第二部材との結合が行い易く、下止としての十分な強度を得ることができ、更に見た目に優れたスライドファスナー用下止を提供する。  【解決手段】  第一部材１１及び第二部材２１を取り付けたファスナーストリンガー３ａ、３ｂの下端をスライダー４の肩口４ｂから挿入する。第一部材１１及び第二部材２１が、それぞれスライダー４のフランジ６ａ及び６ｂに沿って摺動して、第一部材１１と第二部材２１とが互いに近接する方向に回転しながら、第一部材１１及び第二部材２１の対抗面に形成した一対の噛合頭部１２ａ、１２ｂと噛合凹部２４ａ、２４ｂとの噛合、噛合頭部２２ａ、２２ｂと噛合凹部１４ａ、１４ｂとの噛合とを行わせることができる。しかも、ファスナーエレメントとの係合部を有さない第二部材２１の長さを第一部材１１の長さよりも短くすることにより、第一部材１１と第二部材２１との回転をより滑らかに行わせることができる。  【選択図】  図５
2005323860.tif 000002
【特許請求の範囲】
【請求項１】
対向するファスナーストリンガー(3a、3b)にそれぞれ取り付けられる第一部材(11)と第二部材(21)とよりなる二分割型の構成を備えたスライドファスナー用下止(10)であって、
前記第一部材(11)及び第二部材(21) の対向面(16、26)にフック状の噛合頭部(12a、12b、12'a、12'b、32a、32b、32'a、32'b、36a、36b、36'a、36'b、22a、22b、22'a、22'b、42a、42b、42'a、42'b、46a、46b、46'a、46'b)と噛合凹部(14a、14b、14'a、14b、24a、24b)との組が、それぞれ少なくとも２組以上形成され、
前記第一部材(11)の噛合頭部(12、12'、32、32'、36、36')の先端の向きと第二部材(21) の噛合頭部(22、22'、42、42'、46、46')の先端の向きとが逆向きに形成され、
前記第一部材(11)の噛合頭部(12、12'、32、32'、36、36') が第二部材(21)の噛合凹部(24、24')に嵌まり込み、前記第二部材(21)の噛合頭部(22、22'、42、42'、46、46') が第一部材(11)の噛合凹部(14、14')に嵌まり込み、
前記第一部材(11)又は第二部材(21)の一方の部材が、前記下止(10)に隣接するファスナーエレメント(9)と係合する係合部(18)を有し、かつ同一方の部材における長手方向の長さが、他方の部材における長手方向の部材より長く形成されてなることを特徴とするスライドファスナー用下止。
【請求項２】
前記対向するファスナーストリンガー(3a、3b)にファスナーエレメント(9)を連続して設けてファスナーチェーン(29)となし、前記ファスナーチェーン(29)に挿通したスライダー(4)の案内柱(5a)が当接可能な当接部(18a)を前記係合部(18)に有してなることを特徴とする請求項1記載のスライドファスナー用下止。
【請求項３】
前記第一部材(11)及び第二部材(21)の噛合頭部(12、12'、32、32'、36、36'、22、22'、42、42'、46、46')が、表面側噛合頭部(12a、12'a、32a、32'a、36a、36'a、22a、22'a、42a、42'a、46a、46'a)と裏面側噛合頭部(12b、12'b、32b、32'b、36b、36'b、22b、22'b、42b、42'b、46b、46'b)とを備え、前記表面側噛合頭部(12a、12'a、32a、32'a、36a、36'a、22a、22'a、42a、42'a、46a、46'a)と裏面側噛合頭部(12b、12'b、32b、32'b、36b、36'b、22b、22'b、42b、42'b、46b、46'b)とが偏位して噛合段差部（13a、13b、33a、33b、37a、37b、23a、23b、43a、43b、47a、47b）を形成し、各噛合段差部（13a、23b、33a、43b、37a、47b、13b、23a、33b、43a、37b、47a）は相互に重なり合うことを特徴とする請求項1又は２記載のスライドファスナー用下止。
【請求項４】
前記第一部材(11)及び第二部材(21)の下端(11a、21a)における角隅部のうち少なくとも対向面(16、26)側の角隅部が、面取りされてなることを特徴とする請求項１〜３のいずれかに記載のスライドファスナー用下止。
【請求項５】
前記第一部材(11)又は第二部材(21)のうち前記係合部(18)を有する部材が、同係合部(18)側の前記噛合凹部(14a)が形成された部位とは反対側のテープ側面(15)側の部位に、凹部(17)を有してなることを特徴とする請求項１〜４のいずれかに記載のスライドファスナー用下止。
【請求項６】
前記第一部材(11)及び第二部材(21)のテープ側面(15、25)と対向面(16、26)との間における幅が、前記凹部(17)を形成していない部位における最小幅よりも前記凹部(17)を形成した部位における最小幅の方が小幅であることを特徴とする請求項５記載のスライドファスナー用下止。
【請求項７】
前記第一部材(11)と第二部材(21)とが噛合状態にあるとき同第一部材(11)及び第二部材(21)の下端(11a、21a)が、一致して配されてなることを特徴とする請求項１〜６のいずれかに記載のスライドファスナー用下止。
【発明の詳細な説明】
【技術分野】
【０００１】
本発明は、対向するファスナーストリンガーにそれぞれ取り付けられる第一部材と第二部材とよりなる二分割型の構成を備えたスライドファスナー用下止に関し、特に、第一部材と第二部材との結合が行い易い構造を有し、下止としての十分な強度を得ることができ、更に見栄えに優れたスライドファスナー用下止に関するものである。
【背景技術】
【０００２】
従来からスライドファスナーでは、ファスナーエレメントの端部に上止、下止を設け、スライダーがファスナーエレメント列から抜け落ちない構成となっている。下止としては、対向するファスナーストリンガーの端部同士を連結することで、スライダーの抜け落ちを防止している。そのため、例えば、コ字状の金属製や樹脂製の下止を用いて、対向するファスナーストリンガーの端部間を連結する構成が広く用いられている。
【０００３】
しかし、このような下止では、対向する一対のファスナーストリンガーを揃えた状態で、ファスナーストリンガーの端部間に下止を取り付けることが必要となる。そのため、下止専用の取付装置が必要となり、スライドファスナーを生産する生産工程が増加するといった問題がある。
【０００４】
また、コ字状の下止を用いる代わりに、個々のファスナーストリンガーに下止を構成する部材を取り付け、同部材をそれぞれ取り付けた後で、同部材同士を組み合わせて結合することにより形成する下止も、スライドファスナーにおける下止として数多く用いられている。
【０００５】
この下止の形成方法としては、例えば、一対のファスナーストリンガーの下端をそれぞれスライダーの肩口から挿入し、ファスナーストリンガーをスライダーに対して相対的に下方向へ移動させることで、肩口から挿入された部材同士を結合させ、これによって下止を形成している。この下止としては、ファスナーストリンガーに取り付ける部材の形態によって二分割型や三分割型の下止が用いられている。
【０００６】
二分割型の下止としては、ファスナーエレメントに似た形状をしたスライドファスナーの下止（特許文献１参照。）、下止を構成する部材同士を結合した後で部材同士の重なり部分を接合固定したファスナー用下止（特許文献２参照。）、下止を構成する部材にスライダーの抜け落ちを防止するストッパを形成したスライダーチェーンの下止（特許文献３参照。）などが提案されている。また、三分割型の下止としては、端子付スライドファスナー（特許文献４参照。）が提案されている。
【０００７】
特許文献１に記載されたスライドファスナーでは、図９の斜視図で示すように逆向きの突起５６、５７を表裏面において有する務歯５１が用いられ、下止５８、５８ａは務歯５１が連結部６３、６４によって３個連結された構成となっている。そのため、下止５８、５８ａにおける係合ヘッド部５９には逆向きの突起６０、６１が形成され、係合ヘッド部５９、５９間のピッチは、務歯５１の取り付けピッチ間隔と同じピッチ間隔とされ、連結部６３、６４によって連結されている。
【０００８】
また、図９〜図１１に示すように各務歯５１における係合ヘッド部５９とは反対側のテープ側面側における角隅部は、面取りが行われている。これと同様に務歯５１を３個連結して形成した形の下止５８、５８ａにおいてもテープ面側では、連結部６３、６４間を含む角隅部において面取りが行われている。
【０００９】
図１０には、ファスナーストリンガー５２、５２の下止５８、５８ａ側をスライダー５３の肩口から挿入し、スライダー５３を上方に動かすことで下止５８、５８ａ同士の結合が開始し始めた状態が示されている。同下止５８、５８ａの結合が開始した状態において、下止５８、５８ａは直線状の形態を維持しながらスライダー５３のフランジ部５４における拡幅部に案内され、下端側から順次結合されていく。このとき、下止５８、５８ａを取り付けたファスナーストリンガー５２の側縁の一部が変形することで、下止５８、５８ａは互いの対向面側に逃げることができる。これによって下止５８、５８ａは直線状の形態を維持しながら、順次結合が行われている。
【００１０】
このようにして、下止５８、５８ａ同士の結合に始まって、図１１に示すように、スライダー５３が上昇することで務歯５１同士が順次結合されていくことになる。スライダー５３の下降時においては、スライダー５３のネック部５５におけるくさび作用によって務歯５１同士の結合が解除され、ネック部５５が下止５８ａのヘッド部５９における上面６２に当接することで、スライダー５３の抜け止めを行うことができる。
【００１１】
特許文献２に記載されたファスナー用下止では、下止が長尺状の第１分体と第２分体との結合によって構成されている。第１分体及び第２分体の対向面側には、段差が形成され、段差同士が重なり合うことで一方の段差上面に形成した図示せぬ突条と他方の段差下面に形成した図示せぬ凹条とが係合する構成となっている。
【００１２】
また、第１分体及び第２分体のテープ側面には、スライダーのガイドフランジにおける最大曲率部分に対応した形状の曲率凹部がそれぞれ設けられている。スライダーの肩口からファスナーストリンガーの下端部を挿入し、ファスナーストリンガーをスライダーに対して下方に引き込むことで、第１分体と第２分体とをフランジの拡幅部に沿って案内することができ、第１分体と第２分体との係合を行わせることができる。
【００１３】
このとき、第１分体及び第２分体にはそれぞれ前述した曲率凹部が設けられているので、同曲率凹部によってガイドフランジにおける最大曲率部分との干渉を防止することができる。これによって、第１分体及び第２分体が、ガイドフランジにおける最大曲率部分間を容易にかつ円滑に通過することができる。
【００１４】
このようにして、第１分体と第２分体とがガイドフランジにおける最大曲率部分間を通過することで、第１分体と第２分体とが順次係合していくことができる。第１分体と第２分体とが完全に係合した後には、重なり合った上記段差部に対して、超音波熱溶解等の溶着手段を作用させて接合固定を行い、下止の形成を完了する。
【００１５】
特許文献３に記載されたスライダーチェーンの下止は、一対の下止部材により構成されている。一対の下止部材はそれぞれの対向面に形成した停止要素を相互に係合させることで、固定することができる。一対の下止部材には、スライダー用のストッパ部材がそれぞれスライダー側に向かって展開するように形成されている。
【００１６】
一対の下止部材を相互に係合させることにより下止を構成するためには、スライダーの肩口からファスナーストリンガーを挿入し、ファスナーストリンガーを下方に引き込むことを行う。このとき、各ストッパ部材はスライダーのフランジ部によって内側に弾性変形させられ縮小状態となり、スライダーの通過を許容することができる。スライダーが各ストッパ部材を通過した後には、ストッパ部材は、弾性力により展開状態に復帰し外方に展開した状態となる。その後におけるスライダーの下方への摺動時には、スライダーの下端部が展開した各ストッパ部材に当接することで、スライダーの抜け止めを行うことができる構成となっている。
【００１７】
特許文献４に記載された端子付スライドファスナーは、図１２及び図１３に示す構成となっている。即ち、図１２に示すように下止は、端子部材７５、７６及び７７から構成される。ファスナーストリンガー７１の玉縁７３には、端子部材７７が圧力鍛造、鋳型鍛造により取り付けられており、同じくファスナーストリンガー７２の玉縁７３には、端子部材７５及び７６が圧力鍛造、鋳型鍛造により取り付けられている。
【００１８】
端子部材７５、７６及び７７と務歯７４等を取り付けたファスナーストリンガー７１、７２の下端は、図１３に示すようにスライダー９６の肩口からそれぞれ挿入され、スライダー９６のフランジ９７と案内柱９５とによって形成される案内路に沿って移動する。これにより、端子部材７５及び７６と端子部材７７との結合が行われ、順次務歯７４同士の結合が行われる。図１２は、端子部材７５、７６及び７７と務歯７４とが結合した要部拡大図を示している。
【００１９】
端子部材７６の突出部７８は、端子部材７７の凹部７９と噛合い、端子部材７７の突出部８０は同時に端子部材７６の凹部８１と噛合う構成となっている。また、端子部材７７の凹部８２は端子部材７７の上部から部材７７の中間部に延びて支持面８３を形成し、端子部材７６の突出部８４と噛合っている。また、端子部材７７には、その上面に中央部まで延びる突出部８５が形成され、更に、端子部材７７の底部より続き中央部に上昇して支持面８７を形成した他の突出部８６が形成されている。
【００２０】
端子部材７５にはその下部にその中間まで延びる支持面を備えた凹部８８が形成され、端子部材７７の突出部８５は、同凹部８８と接触して支持面８９で支持されている。このほか、端子部材７５には突出部９２と凹部９３が形成され、同突出部９２及び凹部９３は務歯７４の下面側と噛み合っている。
【特許文献１】米国特許第２７０１４０１号明細書
【特許文献２】実公昭５９−２５２１７号公報
【特許文献３】英国特許発明第１４７９３６３号明細書
【特許文献４】特公昭３６−１９０７８号公報
【発明の開示】
【発明が解決しようとする課題】
【００２１】
特許文献１に示すような下止５８、５８ａでは、下止５８、５８ａが直線状の形態を維持しながらスライダー５３のフランジ部５４における拡幅部に案内され、下端側から順次結合されていく構成となっている。また、下止５８、５８ａは、係合ヘッド部５９の表裏部において所定肉厚を有する突起６０、６１が逆向きに形成されている。これによって、幅方向に加わる力と表裏方向に加わる力に対して耐えることのできる構成となっている。
【００２２】
しかし、係合ヘッド部５９における所定肉厚を有する突起６０、６１が同じ形状であるため、下止５８と下止５８ａとを結合して組合わせるのに、突起６０、６１を大きく変形させることが必要となり、そのためには大きな力が必要となっている。しかも、所定肉厚を有する突起６０、６１を大きく変形させることによって、突起６０、６１の付け根部分が破損したりして、下止としての強度が維持されない事態が生じるといった問題があった。
【００２３】
また、下止５８と下止５８ａとの結合時には下止５８及び下止５８ａが直線状の形態を維持しながら、下止５８、５８ａ同士の結合を行っていく構成のため、下止５８、５８ａを取り付けたファスナーストリンガーの側縁の一部が過度に変形することとなる。このため、下止５８、５８ａのファスナーストリンガー５２、５２の側縁における取り付け位置が、側縁の過度の変形によってズレを生じてしまう問題があった。
【００２４】
更に、下止５８と下止５８ａとがそれぞれ同じ形状に形成されているため、下止５８と下止５８ａとを結合して組合わせたときに、下止としての下端が図１１に示すように左右で段差ある形状となり、スライドファスナーとして外観状好ましくない形態となってしまう問題があった。
【００２５】
特許文献２に示す下止は、それぞれ表裏方向の段差が第１分体と第２分体とに形成されており、一方の段差上面に形成した突条と他方の段差下面に形成した凹条とが重なり合って係合する構成となっている。しかも、この重なり合った段差部が外力によって離間するのを防止するため、段差部に対して超音波熱溶解などによる溶着手段を用いて固定しなければならなかった。
【００２６】
このため、下止を構成するためには溶着工程が必要となるとともに、ファスナーテープの幅方向、即ちファスナーテープの左右方向、への引張りに対しては、溶着力のみによって支える構成となっている。このため、溶着が確実に行われなければ、左右方向への引張りに対して強度が不足して破壊してしまうという問題があった。
【００２７】
上記特許文献１、３及び４における下止では、特許文献２で発生する問題を解決することができるが、特許文献１に記載された下止は上述したような問題が生じてしまう。また、特許文献３の一対の下止部材においては、一対の下止部材の対向面に形成したフック形状の噛合頭部は、互いにフック形状が係合する相手側に向かって突出するように形成されている。
【００２８】
このため、特許文献３に記載された噛合頭部を相互に組み合わせるためには、噛合頭部の係合片を大きく変形させる必要があり、噛合頭部の係合片を大きく変形させるためには、大きな力が必要となる。大きな力を発生させるためには、スライダーのフランジ部との間での摺動が滑らかに行うことができなくなる。しかも、大きな力による変形で係合片の付け根部分にクラックが発生したり、噛合頭部自体の付け根部にクラックが発生してしまい、係合片や噛合頭部の噛合強度が十分に得られないという問題があった。
【００２９】
また、特許文献３に示す下止では、スライダーの抜け止用にストッパ部材を一対の下止部材にそれぞれ形成しなければならなかった。しかも、ストッパ部材でのみでスライダーの抜け止めを行っている構成であるので、スライダーを止めておくための引き裂き強度がスライダーの抜け止め作用を繰り返し行っていることで徐々に弱くなり、繰り返しスライダーの抜け止め作用を行うことで、ストッパ部材がその根元部近傍で破断してしまうといった問題があった。
【００３０】
特許文献４に示す下止では、一方の端子部材からの突出部と他方の端子部材からの突出部とが反対方向を向く形状であるので、端子部材７６の突出部７８を端子部材７７の突出部８０に対して相対的に回転させることで、突出部同士を係合させることが可能であり、突出部７８、８０を大きく変形させることなく係合させることが可能である。しかし、突出部同士の係合は１組しか係合していないため、係合させる回転とは逆回転が加わると係合していた１組の突出部同士の係合が簡単に外れてしまう問題があった。
【００３１】
また、ファスナーストリンガー７２に取り付ける端子部材７５と端子部材７６とが離間して配されているので、特許文献１や特許文献２に示すように直線状を維持した状態でスライダー９６のフランジ９７における最大屈曲部を容易に通過することができる。
【００３２】
しかし、スライダーの抜け止めを行う端子部材７５と下止を固定するために係合を行う端子部材７６とが離間して別体に構成されているので、ファスナーストリンガー７２が左右に引張られたときには、端子部材７５と端子部材７６とは、左右に引張られる力の掛かり方によってそれぞれ独立した動きとなり、左右の引張り力に対する保持力を弱いものとしている。更に、端子部材７５と端子部材７６との配置位置によって、スライダーの案内柱と十分に接触することができず、案内柱が端子部材７５を乗り越えてしまいスライダーの抜け止め作用を十分に行うことができない問題があった。
【００３３】
また、形状の異なる端子部材７５と端子部材７６とを離間してファスナーストリンガー７２の玉縁７３に取り付けなければならず、しかも、ファスナーストリンガー７１の玉縁７３に取り付けた端子部材７７との間での位置決めを行うことは、手間暇のかかる取り付け作業となった。
【００３４】
本願発明では、上述の問題点を解決し、一対のファスナーストリンガーにそれぞれ取り付ける第一部材と第二部材との結合が行い易い構造を有し、下止としての十分な強度を得ることができ、更に見た目に優れたスライドファスナー用下止を提供することにある。
【課題を解決するための手段】
【００３５】
本願発明の課題は請求項１〜７に記載された各発明により達成することができる。
即ち、本願発明では請求項１に記載したように、対向するファスナーストリンガーにそれぞれ取り付けられる第一部材と第二部材とよりなる二分割型の構成を備えたスライドファスナー用下止であって、前記第一部材及び第二部材の対向面にフック状の噛合頭部と噛合凹部との組が、それぞれ少なくとも２組以上形成され、前記第一部材の噛合頭部の先端の向きと第二部材の噛合頭部の先端の向きとが逆向きに形成され、前記第一部材の噛合頭部が第二部材の噛合凹部に嵌まり込み、前記第二部材の噛合頭部が第一部材(11)の噛合凹部に嵌まり込み、前記第一部材又は第二部材の一方の部材が、前記下止に隣接するファスナーエレメントと係合する係合部を有し、かつ同一方の部材における長手方向の長さが、他方の部材における長手方向の部材より長く形成されてなることを最も主要な特徴となしている。
【００３６】
また、本願発明では請求項２に記載したように、前記対向するファスナーストリンガーにファスナーエレメントを連続して設けてファスナーチェーンとなし、前記ファスナーチェーンに挿通したスライダーの案内柱が当接可能な当接部を前記係合部に有してなることを主要な特徴となしている。
【００３７】
更に、本願発明では請求項３に記載したように、前記第一部材及び第二部材の噛合頭部が、表面側噛合頭部と裏面側噛合頭部とを備え、前記表面側噛合頭部と裏面側噛合頭部とが偏位して噛合段差部を形成し、各噛合段差部は相互に重なり合うことを主要な特徴となしている。
【００３８】
更にまた、本願発明では請求項４に記載したように、前記第一部材及び第二部材の下端における角隅部のうち少なくとも対向面側の角隅部が、面取りされてなることを主要な特徴となしている。
【００３９】
また、本願発明では請求項５に記載したように、前記第一部材又は第二部材のうち前記係合部を有する部材が、同係合部側の前記噛合凹部が形成された部位とは反対側のテープ側面側の部位に、凹部を有してなることを主要な特徴となしている。
【００４０】
更に、本願発明では請求項６に記載したように、前記第一部材及び第二部材のテープ側面と対向面との間における幅が、前記凹部を形成していない部位における最小幅よりも前記凹部を形成した部位における最小幅の方が小幅であることを主要な特徴となしている。
【００４１】
更にまた、本願発明では請求項７に記載したように、前記第一部材と第二部材とが噛合状態にあるとき同第一部材及び第二部材の下端が、一致して配されてなることを主要な特徴となしている。
【発明の効果】
【００４２】
本願発明では、二分割型の第一部材と第二部材とを備えたスライドファスナー用下止において、前記第一部材と第二部材とを噛合状態とするフック状の噛合頭部と噛合凹部との組が、第一部材及び第二部材の対向面にそれぞれ少なくとも２組以上形成され、前記第一部材の噛合頭部の先端の向きと第二部材の噛合頭部の先端の向きとを逆向きに形成している。
【００４３】
また、前記第一部材の噛合頭部が第二部材の噛合凹部に嵌まり込み、前記第二部材の噛合頭部が第一部材の噛合凹部に嵌まり込む構成となっている。前記第一部材又は第二部材の一方の部材には、前記下止に隣接するファスナーエレメントと係合する係合部が形成され、かつ同係合部が形成された一方の部材における長手方向の長さが、他方の部材における長手方向の部材より長く形成されていることを特徴としている。
【００４４】
これにより、第一部材及び第二部材の対向面にそれぞれ形成された２組以上のフック状の噛合頭部が、噛合相手側の部材にそれぞれ2組以上形成された噛合凹部と係合することができ、噛合状態を強固に行うことができる。しかも、噛合頭部と噛合凹部との間に回転する力が作用しても、その作用する力を２ヶ所以上の噛合箇所で支持することができるので、噛合頭部と噛合凹部との噛合による噛合状態を安定して得ることができる。
【００４５】
また、一方の部材における噛合頭部の向きと他方の部材における噛合頭部の向きとが逆向きであるので、一方の部材における噛合頭部が他方の部材における噛合凹部に係合するための回動方向と、他方の部材における噛合頭部が一方の部材における噛合凹部に係合するための回動方向とがそれぞれ反対方向に回転することにより行うことができる。これにより、噛合頭部と噛合凹部との噛合作業が容易にかつ円滑に行うことができるようになる。
【００４６】
更に、本願発明では請求項２に記載したように、係合部にはスライダーの案内柱が当接可能な当接部を備えているので、スライダーの下降時にスライダーの案内柱と係合部の基端部側の部位に形成した当接部とが接触して、スライダーの抜け止めを確実に行うことができる。また、当接部は係合部を形成した第一部材又は第二部材の一部として形成することができるので、当接部の剛性を高めることができる。
【００４７】
本願発明では請求項３に記載したように、前記第一部材及び第二部材の噛合頭部が、表面側噛合頭部と裏面側噛合頭部とを備え、前記表面側噛合頭部と裏面側噛合頭部とが偏位して噛合段差部を形成し、各噛合段差部を相互に重なり合わせる構成とすることができる。
【００４８】
これにより、第一部材及び第二部材のうち一方の部材における噛合頭部は他方の部材における噛合凹部内に収容される形態で係合することができ、他方の部材における噛合頭部は一方の部材における噛合凹部内に収容される形態で係合することができるようになる。しかも、それぞれの噛合段差部が相互に重なり合うので、噛合段差部によって下止の表裏方向に作用する力に対抗することができる。
【００４９】
噛合段差部の構成としては、噛合頭部を構成する表面側噛合頭部と裏面側噛合頭部とが噛合する相手側部材の噛合凹部にそれぞれ噛合段差面を形成し、噛合頭部における突出状態に形成された噛合段差面が噛合凹部における引っ込み状態に形成された噛合段差面に対応して、両噛合段差面同士が重なり合う構成とすることができる。
【００５０】
また、噛合頭部と同噛合頭部が係合する噛合凹部との接触面をそれぞれ第一部材１１及び第二部材２１の表面側から裏面側に向かって形成された傾斜面として形成し、傾斜面同士が重なり合う構成とすることもできる。傾斜面としては、直線形状の傾斜面として形成することも、曲面形状となった傾斜面とすることができる。傾斜面を曲面形状とした場合には、一方の傾斜面が凸状の曲面形状となるように形成し、他方の傾斜面が凹状の曲面形状となるように形成することが望ましい。
【００５１】
噛合段差部を形成する部位としては、噛合頭部と噛合凹部とが接触する接触面の全面に亘って形成することもでき、また、前記接触面のうち幾つかの部位に形成しておくこともできる。接触面の全面に亘って及び複数の部位に離間して段差部を形成する場合には、第一部材と第二部材との全ての接触面において接触面同士の重なり形態が同じ組合せ形態となるように構成することも、隣接する段差部とが異なった形態の段差部となるように構成することもできる。
【００５２】
本願発明では請求項４に記載したように、第一部材及び第二部材の下端における角隅部を面取りしておくことができる。少なくとも、第一部材及び第二部材の下端における角隅部のうち対向面側の角隅部を面取りすることで、スライダーの案内路内を第一部材及び第二部材が摺動する時、一方の角隅部と他方の対向面との間での接触状態を良好なものとすることができる。しかも、第一部材及び第二部材をスライダーの案内路内に沿ってスムーズに摺動させることができるので、第一部材と第二部材との噛合を円滑に行うことができるようになる。
【００５３】
本願発明では請求項５に記載したように、係合部を有する部材において、噛合凹部のうちで同係合部側の前記噛合凹部が形成された部位とは線対称となるテープ側面側の部位に、凹部を形成することができる。
【００５４】
これにより、第一部材と第二部材及びファスナーエレメント等を取り付けたファスナーストリンガーの下端部を、スライダーの肩口から挿入してスライドファスナーを形成する際に、スライダーの案内柱によって押圧される係合部を有する第一部材又は第二部材の上端部近傍が、前記凹部の作用によって案内柱からの押圧力を減少する方向、即ち、スライダーのフランジ部側へ容易に撓むことができる。
【００５５】
このため、スライダーのガイドフランジ及び案内柱によって形成された略Ｙ字状の案内路に沿ってスムーズにファスナーストリンガーを挿通させることができる。しかも、凹部によって係合部を有する第一部材又は第二部材の上端部近傍が、案内柱から離れる方向に撓むことで、第一部材又は第二部材に形成した噛合頭部と第二部材又は第一部材に形成した噛合凹部との嵌まり込みを容易に行うことができるようになる。
【００５６】
更に、凹部によって係合部を有する第一部材又は第二部材の上端部近傍が案内柱から離れる方向に撓むことが可能となり、噛合頭部と噛合凹部とが係合することのできる範囲、即ち、ファスナーストリンガーのスライダーに対する移動中に噛合頭部と噛合凹部とを噛合させることができる範囲を広くさせることができる。
【００５７】
凹部の形成個数は、少なくとも１個以上形成することができ、凹部の形状は、第一部材又は第二部材の上端部近傍を弾性変形させ易い形状とすることができる。噛合頭部と噛合凹部とが噛合した後には、第一部材又は第二部材の上端部近傍の弾性復帰により、噛合頭部と噛合凹部との噛合状態を強固のものとすることができるようになる。
【００５８】
案内柱に係合部の対向面側が当接した時に、凹部を中心に係合部側が撓むことができるので、係合部を対向面側に突出させた形状としても、十分に第一部材及び第二部材とがスライダーの案内路内をスムーズに摺動することができるようになる。しかも、係合部を対向面側に突出させることで、下止に隣接したファスナーエレメントとの噛合状態を十分に構成することができる。
【００５９】
本願発明では請求項６に記載したように、テープ側面と前記係合部側における噛合凹部との間における幅に関して、前記凹部を形成した部位における最小幅を凹部を形成していない部位における最小幅よりも小幅とすることにより、凹部の作用による撓み量を大きくすることができる。これにより、第一部材と第二部材とが噛合して結合するときに、スライダーの案内路内を第一部材と第二部材とが通り易くすることができ、しかも、第一部材と第二部材との噛合による結合を容易に行うことができるようになる。
【００６０】
本願発明では請求項７に記載したように、第一部材と第二部材とが噛合した結合状態にあるとき、第一部材の下端と第二部材の下端とを一致して配することで、下端が直線状に並んだ見た目にも良好なスライドファスナーを得ることができるようになる。
【発明を実施するための最良の形態】
【００６１】
本発明の好適な実施の形態について、添付図面に基づいて以下において具体的に説明する。本願発明の下止の構成としては、以下で説明する形状、配置構成以外にも本願発明の課題を解決することができる形状、配置構成であれば、それらの形状、配置構成を採用することができるものである。このため、本発明は、以下に説明する実施例に限定されるものではなく、多様な変更が可能である。
【実施例１】
【００６２】
図１は、本発明の実施形態に係わるスライドファスナー用下止を取り付けたスライドファスナーの部分拡大図である。図２は、下止を構成する第一部材と第二部材との平面図である。図３は、第一部材及び第二部材におけるそれぞれの平面図及び側面図である。図４は、第一部材と第二部材との結合状態を示す平面図である。図５は、第一部材と第二部材とを結合させる状態を示す要部断面図である。図６は、第一部材と第二部材とが結合した状態を示す要部断面図である。尚、図２、図４では、第一部材１１及び第二部材２１との構成を説明し易くするため、ファスナーエレメント９を省いた図として記載しており、図３では、ファスナーエレメント９を記載した図としている。
【００６３】
図１に示すように、スライドファスナー１は、一対のファスナーストリンガー３ａ、３ｂの対象線に設けた芯紐に下止１０、ファスナーエレメント９及び図示せぬ上止が取り付けられ、スライダー４が複数のファスナーエレメント９列から構成されるファスナーチェーン２９を挿通して配されている。ファスナーチェーン２９の上下端には、スライダー４の抜け止め用の下止１０と図示せぬ上止が配されている。
【００６４】
ファスナーエレメント４として図示例ではファスナーテープ２ａ、２ｂに射出成形により成形した務歯を用いた例を示しているが、ファスナーエレメントとしては、務歯により構成されたものに限定されるものではなく、コイル状又はジグザク状のファスナーエレメント、金属性のファスナーエレメント等を使用することができるものである。
【００６５】
下止１０は、織編成されたファスナーテープ２ａに取付けられた第一部材１１とファスナーテープ２ｂに取付けられた第二部材２１とから構成されている。第一部材１１の第二部材２１側に形成した対向面１６には一対のフック状の噛合頭部１２ａ、１２ｂ、第二部材２１の一対の噛合頭部がそれぞれ嵌り込む一対の噛合凹部１４ａ、１４ｂ及び係合部１８が形成され、対向面１６と反対側のテープ側面１５には係合部１８を含む部位に対する弾性変形を許容する凹部１７が形成されている。
【００６６】
第二部材２１の第一部材１１側に形成した対向面２６には前記一対のフック状の噛合頭部１２ａ、１２ｂがそれぞれ嵌まり込む噛合凹部２４ａ、２４ｂが形成され、また、第一部材における一対の噛合凹部１４ａ、１４ｂにそれぞれ嵌まり込む一対のフック状の噛合頭部２２ａ、２２ｂが形成されている。第一部材１１の噛合頭部１２ａ、１２ｂは、ファスナーエレメント９の方向を向いて形成され、第二部材２１の噛合頭部２２ａ、２２ｂは、第一部材１１の噛合頭部１２ａ、１２ｂとは逆向きに形成されている。
【００６７】
噛合頭部及び噛合凹部はそれぞれ２個づつ形成した好適な例を説明したが、本願発明においては、噛合頭部及び噛合凹部の形成個数は２個づつに限定されるものではなく、２個以上の適宜の数形成することができるものである。
【００６８】
第一部材１１の下端１１ａと第二部材２１の下端２１ａとは、ファスナーテープの端部側において同一直線状となるように配されている。これにより、スライドファスナー１として、下止１０がスッキリとした形に形成することができ、見栄えの良いスライドファスナーを提供することができるようになる。
【００６９】
図２に示すように、第一部材１１における噛合頭部１２ａ、１２ｂと第二部材２１における噛合凹部２４ａ、２４ｂとのそれぞれの当接面、また、第一部材１１における噛合凹部１４ａ、１４ｂと第二部材２１における噛合頭部２２ａ、２２ｂとのそれぞれの当接面には、それぞれ噛合段差１３、２３が形成されている。
【００７０】
即ち、図３（ａ）及び（ｂ）にそれぞれ示す第一部材１１及びファスナーエレメント９の側面図及び平面図に示しているように、第一部材１１の肉厚方向の中間部において形成した噛合段差１３は、第一部材１１の表面側に対して上向き面となった噛合段差面１３ａと第一部材１１の裏面側に対して下向き面となった噛合段差面１３ｂとにより形成されている。
【００７１】
また、図３（ｃ）及び（ｄ）にそれぞれ示す第二部材２１及びファスナーエレメント９の平面図及び側面図に示しているように、第二部材２１の肉厚方向の中間部において形成した噛合段差２３は、第二部材２１の表面側に対して上向き面となった噛合段差面２３ａと第二部材２１の裏面側に対して下向き面となった噛合段差面２３ｂとにより形成されている。
【００７２】
即ち、第一部材１１の表面側に形成した噛合頭部１２ａ、１２’ａ及び噛合凹部１４ａ、１４’ａに対して、同第一部材１１の裏面側に形成した噛合頭部１２ｂ、１２’ｂ及び噛合凹部１４ｂ、１４’ｂが下止１０の下端方向にずれた状態に偏位しており、同偏位した部位に噛合段差面１３ａ、１３ｂが形成されている。
【００７３】
同様に、第二部材２１の表面側に形成した噛合頭部２２ａ、２２’ａ及び噛合凹部２４ａに対して、同第二部材２１の裏面側に形成した噛合頭部２２ｂ、２２’ｂ及び噛合凹部２４ｂが下止１０の下端方向にずれた状態に偏位しており、同偏位した部位に噛合段差面２３ａ、２３ｂが形成されている。尚、必要に応じて、噛合段差面１３ａ、１３ｂ及び噛合段差面２３ａ、２３ｂをそれぞれ第一部材１１と第二部材２１の対向面側にも偏位させた形状として形成することもできる。
【００７４】
これによって、第一部材１１の噛合段差部１３と第二部材２１の噛合段差部２３とがそれぞれ偏位して形成されているので、第一部材１１と第二部材２１とを噛み合わせたときに、噛合段差部１３、２３同士が重なり合い、表裏方向に作用する力に対向することができる。
【００７５】
即ち、図４に示すように第一部材１１と第二部材２１との結合状態において、噛合頭部と噛合凹部とが噛み合って噛合状態が形成されると共に、噛合段差面１３ａと噛合段差面２３ｂとが当接し、噛合段差面１３ｂと噛合段差面２３ａとが当接して、噛合段差１３と噛合段差２３との間での当接状態が形成される。これにより、スライドファスナー１の上下方向、表裏面方向、左右方向に対して第一部材１１と第二部材２１とを離間させる力が作用しても、第一部材１１と第二部材２１との結合状態を強固に維持することができる。
【００７６】
図２〜図４に示すように、第一部材１１の噛合凹部１４ａにおける噛合段差面１３ａの形成方向と噛合凹部１４ｂにおける噛合段差面１３ａの形成方向は、同じ方向を向いて形成されており、また、噛合凹部１４ａにおける噛合段差面１３ｂの形成方向と噛合凹部１４ｂにおける噛合段差面１３ｂの形成方向とは、同じ方向を向いて形成している。同様に第二部材２１における噛合頭部２２ａ及び噛合頭部２２ｂにおける噛合段差面２３ａ、２３ｂもそれぞれ第一部材と同様にそれぞれ同じ方向を向いて形成されている。
【００７７】
噛合凹部１４ａにおける噛合段差面１３ａ及び１３ｂの形成方向と、噛合凹部１４ｂにおける噛合段差面１３ａ及び１３ｂの形成方向とを異ならせて形成することもできる。この場合、第二部材２１における噛合段差面２３ａ、２３ｂは、それぞれ噛合段差面１３ｂ、１３ａに当接する方向に形成しておくことが必要である。
【００７８】
これにより、噛合頭部１２ａ、１２ｂと噛合凹部２４ａ、２４ｂとの噛合及び噛合頭部２２ａ、２２ｂと噛合凹部１４ａ、１４ｂとの噛合による結合作用に加えて、噛合段部１３、２３による当接面によって、スライドファスナー１の表裏面方向、左右方向、上下方向に対して第一部材１１と第二部材２１とを開放させる力が作用したとしても、第一部材１１と第二部材２１との結合状態を強固に維持することができる。
【００７９】
特に、噛合頭部１２ａ、１２ｂの先端の向きと噛合頭部２２ａ、２２ｂの先端の向きとが逆方向を向いて形成されているので、係合頭部と係合凹部との噛合作業が行い易くなり、噛合頭部と噛合凹部との噛合時に噛合頭部に無理な力が加わることがなくなる。噛合作業に伴って噛合頭部等に破壊やクラック等が発生するのが防止され、下止として所望の強度を備えさせることができる。
【００８０】
また、噛合頭部及び同噛合頭部は係合する噛合凹部が２組づつ形成されているので、噛合頭部と噛合凹部との噛合状態を解除する方向に回転力が加わったとしても、同回転力を噛合状態にある２ヶ所の噛合頭部と噛合凹部で受けることになり、同回転力に抗して噛合頭部と噛合凹部との噛合状態を安定させておくことができる。
【００８１】
図２〜図４では、噛合段部１３、２３として噛合段差面を形成した例を示しているが、噛合段部としては、噛合段差面に限定されるものではなく、第一部材１１及び第二部材２１の表面側から裏面側に向かって形成された傾斜面とすることもできる。また、噛合段差面を形成する場合においても、１段だけの段差面として形成せずに、複数段の段差面として形成することもできる。
【００８２】
更には、第一部材１１又は第二部材２１の表面側において一方の部材から他方の部材に向かって突出した鍔部を形成し、他方の部材の表面側において前記鍔部を収納する凹部を形成し、第一部材１１及び第二部材２１の裏面側においても表面側と同様に鍔部と同鍔部を収容する凹部とを形成することもできる。また、これ以外にも適宜の形式の噛合段差部を形成することができる。
【００８３】
次に図５、図６を用いて第一部材１１と第二部材２１とを結合させる結合形態について説明する。ファスナーテープ２ａ、２ｂのそれぞれに第一部材１１、ファスナーエレメント９と図示せぬ上止、及び第二部材２１、ファスナーエレメント９と図示せぬ上止とを取り付けた一対のファスナーストリンガー３ａ、３ｂの下端をスライダー４の肩口４ｂ、４ｂからそれぞれ挿入する。
【００８４】
その後、ファスナーストリンガー３ａ、３ｂをスライダー４に対して下方に引き出すか、スライダー４をファスナーストリンガー３ａ、３ｂに対して上方に摺動させるかを行う。
このとき、第一部材１１及び第二部材２１のテープ側面１５、２５は、それぞれスライダー４のフランジ６ａ及び６ｂに沿って摺動し、第一部材１１の噛合頭部１２ｂが第二部材２１の噛合凹部２４ｂに嵌まり込みながら結合していく。案内柱５ａに当接した第一部材１１の係合部１８は、凹部１７の作用によってフランジ６ａ側に弾性変位することができる。
【００８５】
凹部１７の形成位置としては、係合部１８が変形し易い位置に形成することが望ましい構成となる。特に、ガイドフランジ６ａの拡幅開始位置よりも下端に凹部１７を形成すると、スライダー４をスライドファスナー１の下端位置としたときに、スライダー４の姿勢を正しい姿勢に保ち難くなるので、凹部１７は、ガイドフランジ６ａにおける肩口４ｂへの拡幅開始位置よりも上端側となる部位に形成することが更に望ましい構成となる。
【００８６】
係合部１８の弾性変形により、第一部材１１及び第二部材２１は案内路６ｃに沿って円滑に案内されることができる。しかも、係合部１８がフランジ６ａ側に弾性変位することにより、噛合凹部１４ａの開口を大きくすることができ、噛合頭部２２ａの噛合凹部１４ａへの嵌まり込みを容易に行うことができるようになる。
【００８７】
図６に示すように、係合部１８に対する案内柱５ａからの押圧力が減少又は解除されると、係合部１８は弾性復帰して噛合頭部２２ａと噛合凹部１４ａとの噛合状態を強固なものとすることができる。さらに、ファスナーストリンガー３ａ、３ｂがスライダー４に対して相対的に下方に移動すると、係合部１８の突起部１８ｂに下止１０に隣接したファスナーエレメント９が噛合し、順次ファスナーエレメント９、９同士の噛合が行われ、図１に示すような状態となる。
【００８８】
図１に示す状態では、スライダー４はファスナーチェーン２９を挿通した状態となっており、スライダーを上方に摺動させることで、スライドファスナー１を閉じることができ、スライダー４を下方に摺動させることでスライドファスナー１を開放させることができる。しかも、スライドファスナー１を開放させるためにスライダー４を下方に摺動させるときには、スライダー４の案内柱５ａが第一部材１１の収容部１９内で当接し、スライダー４の抜け止めを行うことができるようになる。
【００８９】
また、第一部材１１及び第二部材２１の下端における角隅部及び上端におけるテープ側面側の角隅部がそれぞれ面取りした構成となっている。特に、対向面側の角隅部が面取りされているので、図５に示すように第一部材１１と第二部材２１とを噛合させるときに、角隅部が他方の部材における対向面に噛み合ったり、摺動したりすることを防止することができ、第一部材１１と第二部材２１との結合を滑らかに行うことができるようになる。
【００９０】
噛合頭部１２ａ、１２ｂの先端部及び噛合頭部２２ａ、２２ｂの先端部がそれぞれ逆方向を向いた形状に形成されているので、第一部材１１の噛合頭部１２ａ、１２ｂと第二部材２１の噛合凹部２４ａ、２４ｂとの噛合時には、第一部材１１が第二部材２１に対して時計方向に回転し、第二部材２１が第一部材１１に対して半時計方向に回転しながら係合することができる。
【００９１】
また、第二部材２１の噛合頭部２２ａ、２２ｂは第一部材１１の噛合凹部１４ａ、１４ｂに対して同様の回転をしながら相互に係合することができる。これにより、噛合頭部と噛合凹部との嵌り込みが円滑に行うことができ、噛合後の噛合強度を高めることができる。
【００９２】
しかも、第一部材１１及び第二部剤２１を成形により形成する場合には、スライディングコアを用いた成形を行わずに形成することができるようになる。これにより、第一部材１１及び第二部材の成形が容易となり、第一部材及び第二部材の製造コストを低減することが可能となり、ひいてはスライドファスナーの製造コストを低減することができるようになる。
【実施例２】
【００９３】
図７は、噛合頭部の向きが第１実施例とは逆向きの構成とした本願発明に係わる第２実施例を示している。第２実施例において、第１実施例と同様の構成については、実施例１において用いた部材符号と同じ部材符号を用いることでその説明を省略する。
【００９４】
図７に示すように、第一部材１１の対向面１６には噛合頭部３２ａ、３２ｂ、噛合凹部及び係合部１８が形成され、テープ側面１５には係合部１８を含む部位に対する弾性変形を許容する凹部１７が形成されている。
また、第二部材２１の対向面２６には第一部材における一対の噛合頭部３２ａ、３２ｂがそれぞれ嵌まり込む一対の噛合凹部が形成され、第一部材１１における一対の噛合凹部にそれぞれ嵌まり込む一対の噛合頭部４２ａ、４２ｂが第二部材２１に形成されている。
【００９５】
第２実施例においては、第一部材１１の対向面１６に形成した噛合頭部３２ａ、３２ｂ、噛合凹部及び第二部材２１の対向面２６に形成した噛合頭部４２ａ、４２ｂ、噛合凹部の向きが、第１実施例におけるそれぞれの噛合頭部、噛合凹部の向きとは逆向きに形成されている。
また、第２実施例における噛合頭部、噛合凹部の向きが、第１実施例における噛合頭部、噛合凹部の向きとは逆向きに形成されていることにともなって、噛合段部３３、４３における噛合段差面の形成方向も第１実施例の場合とは逆向きに形成されている。
【００９６】
これにより、第一部材１１における噛合段部３３では、スライドファスナー１の裏面方向に加わる力に対抗することができ、第二部材における噛合段部４３では、スライドファスナー１の表面方向に加わる力に対抗することができる。スライドファスナー１の左右方向に加わる力に対しては、主として噛合頭部と噛合凹部との係合作用によって対抗することができる。
【００９７】
尚、第２実施例の場合においても、第一部材１１の下端１１ａと第二部材２１の下端２１ａとは、ファスナーテープの端部側において同一直線状となるように配されている。
【実施例３】
【００９８】
図８は、本願発明に係わる第３実施例を示しており、噛合段面の形成方向が第１実施例及び第２実施例とは異なり、各部材における一対の噛合頭部の部位において異ならせた方向を向くように形成した例を示している。第３実施例においても、第１実施例及び第２実施例と同様の構成については、実施例１及び第２実施例において用いた部材符号と同じ部材符号を用いることでその説明を省略する。
【００９９】
第３実施例では、噛合頭部３６ａにおける噛合段差３７ａと噛合頭部３６ｂにおける噛合段差３７ｂとで噛合段差面の形成方向を噛合頭部における噛合段差面の形成部位に応じて異ならせた向きとなるように形成している。実施例１及び実施例２においては、噛合頭部１２ａ、３２ａと噛合頭部１２ｂ、３２ｂとにおける噛合段差１３、４２ａ、４２ｂにおける噛合段差面の形成方向は、表面側に形成した噛合頭部に対して、裏面側に形成した噛合頭部が下止１０の下端方向にずれた状態に偏位しており、同偏位した部位に噛合段差面が形成されている。
【０１００】
第３実施例においても、第一部材１１における噛合頭部３６ａ及び噛合頭部３６ｂにそれぞれ上向き形成した噛合段差面と下向き形成した噛合段差面とを形成しているので、スライドファスナー１の表裏面方向に対して作用する力に対抗することができるとともに、第一部材１１と第二部材２１との対向面間に作用する回転モーメントに対しても、スライドファスナー１の左右方向、前後方向に作用する力に対しても強固に対抗することができる。
【０１０１】
このように、一つの噛合頭部に形成した複数の噛合段差面の形成方向を異ならせて形成することにより、様々な向きから作用する第一部材と第二部材とを離間させる力に対抗する構成とすることができる。しかも、第一部材１１と第二部材２１とに加わる力を第一部材１１及び第二部材２１とに分散させることができ、第一部材１１と第二部材２１との結合力を高めることができる。
【０１０２】
第３実施例の場合でも、第一部材１１の下端１１ａと第二部材２１の下端２１ａとは、ファスナーテープの端部側において同一直線状となるように配されている。本願発明の下止により、スライドファスナー１に対して作用する前後左右及び表裏方向の力に対して、第一部材１１と第二部材との結合状態を維持することができる。
【０１０３】
しかも、第一部材と第二部材との噛合結合は、凹部１７による弾性変形で容易に行うことができるようになる。また、第一部材１１及び第二部材のそれぞれの下端１１ａ及び２１ａにおける角隅部を面取りしたことにより、スライダー４の案内路６ｃに沿って肩口からファスナーストリンガー３ａ、３ｂを挿入することで、容易に第一部材１１と第二部材２１との噛合結合を行うことができるようになる。
【産業上の利用可能性】
【０１０４】
本願発明は、本願発明の技術思想を適用することができる部材、装置等に対しては、本願発明の技術思想を適用することができる。
【図面の簡単な説明】
【０１０５】
【図１】本発明の実施形態に係わるスライドファスナー用下止を取り付けたスライドファスナーの部分拡大図である。（実施例１）
【図２】下止を構成する第一部材と第二部材との平面図である。（実施例１）
【図３】第一部材及び第二部材における平面図及び側面図である。(実施例１)
【図４】第一部材と第二部材との結合状態を示す平面図である。（実施例１）
【図５】第一部材と第二部材とを結合させる状態を示す要部断面図である。（実施例１）
【図６】第一部材と第二部材とが結合した状態を示す要部断面図である。（実施例１）
【図７】第一部材と第二部材との結合状態を示す平面図である。（実施例２）
【図８】下止を構成する第一部材と第二部材との平面図である。（実施例３）
【図９】下止を構成する一方の部材の斜視図である。（従来例１）
【図１０】下止の噛合開始状態を示す一部部分断面図を含む平面図である。（従来例１）
【図１１】下止の噛合状態を示す一部部分断面図を含む平面図である。（従来例１）
【図１２】下止の噛合状況を示す平面図である。（従来例４）
【図１３】スライダーの抜け止め状態を示す平面図である。（従来例４）
【符号の説明】
【０１０６】
１              スライドファスナー
２ａ、ｂ        ファスナーテープ
３ａ、ｂ        ファスナーストリンガー
４              スライダー
４ａ            引手
４ｂ            肩口
５ａ            案内柱
５ｂ            上翼板
５ｃ            下翼板
６ａ、ｂ        ガイドフランジ
６ｃ            案内路
８ａ、ｂ        芯ひも
９              ファスナーエレメント
１０              下止
１１              第一部材
１１ａ            下端
１２ａ、ｂ        噛合頭部
１２’ａ、ｂ      噛合頭部
１３              噛合段部
１３ａ、ｂ        噛合段差面
１４ａ、ｂ        噛合凹部
１５              テープ側面
１６              対向面
１７              凹部
１８              係合部
１８ａ            当接部
１８ｂ            突起部
１９              収容部
２１              第一部材
２１ａ            下端
２２ａ、ｂ        噛合頭部
２２’ａ、ｂ      噛合頭部
２３              噛合段部
２３ａ、ｂ        噛合段差面
２４ａ、ｂ        噛合凹部
２５              テープ側面
２６              対向面
２９              ファスナーチェーン
３２ａ、ｂ        噛合頭部
３２’ａ、ｂ      噛合頭部
３３              噛合段部
３６ａ、ｂ        噛合頭部
３６’ａ、ｂ      噛合頭部
３７ａ、ｂ        噛合段部
４２ａ、ｂ        噛合頭部
４２’ａ、ｂ      噛合頭部
４３              噛合段部
４６ａ、ｂ        噛合頭部
４６’ａ、ｂ      噛合頭部
４７ａ、ｂ        噛合段部
５１              務歯
５２              ファスナーストリンガー
５３              スライダー
５４              フランジ部
５５              ネック部
５６、５７        突起
５８、５８ａ      下止
５９              係合ヘッド部
６０、６１        突起
６２              上面
６３、６４        連結部
７１、７１        ファスナーストリンガー
７３              玉縁
７４              務歯
７５〜７７        端子部材
７８、８０、８４〜８６、９２        突出部
７９、８１、８２、８８、９３        凹部
８３、８７、８９                    支持面
９５              案内柱
９６              スライダー
９７              フランジ
【図１】
2005323860.tif 000003
【図２】
2005323860.tif 000004
【図３】
2005323860.tif 000005
【図４】
2005323860.tif 000006
【図５】
2005323860.tif 000007
【図６】
2005323860.tif 000008
【図７】
2005323860.tif 000009
【図８】
2005323860.tif 000010
【図９】
2005323860.tif 000011
【図１０】
2005323860.tif 000012
【図１１】
2005323860.tif 000013
【図１２】
2005323860.tif 000014
【図１３】
2005323860.tif 000015